(57)【特許請求の範囲】
【請求項１】
第１ヘッドホンの周波数特性に基づいたイコライザ情報を記憶する第１記憶部と、
音声信号の周波数特性を変更するイコライザ処理を行うイコライザ部と、
前記第１ヘッドホンである場合に、前記第１記憶部が記憶する前記イコライザ情報を前記イコライザ部に出力し、前記第１ヘッドホンと周波数特性が異なる第２ヘッドホンである場合に、前記第１ヘッドホンと前記第２ヘッドホンとの周波数特性のゲイン差である補正情報に基づいて、前記第１記憶部が記憶する前記イコライザ情報を補正して前記イコライザ部に出力する補正部と、を備え、
前記イコライザ部は、前記補正部が出力した前記イコライザ情報に基づいて、前記イコライザ処理を行うことを特徴とするイコライザ装置。
【請求項２】
第１ヘッドホンの周波数特性に基づいた第１イコライザ情報及び前記第１ヘッドホンと周波数特性が異なる第２ヘッドホンの周波数特性に基づいた第２イコライザ情報を記憶する第１記憶部と、
音声信号の周波数特性を変更するイコライザ処理を行うイコライザ部と、
前記第１イコライザ情報、前記第２イコライザ情報のいずれかの選択を受け付ける受付部と、
前記受付部が前記第１イコライザ情報の選択を受け付け、且つ、前記第１ヘッドホンである場合に、前記第１記憶部が記憶する前記第１イコライザ情報を前記イコライザ部に出力し、
前記受付部が前記第１イコライザ情報の選択を受け付け、且つ、前記第２ヘッドホンである場合に、前記第１ヘッドホンと前記第２ヘッドホンとの周波数特性のゲイン差である補正情報に基づいて、前記第１記憶部が記憶する前記第１イコライザ情報を補正して前記イコライザ部に出力し、
前記受付部が前記第２イコライザ情報の選択を受け付け、且つ、前記第１ヘッドホンである場合に、前記補正情報に基づいて、前記第１記憶部が記憶する前記第２イコライザ情報を補正して前記イコライザ部に出力し、
前記受付部が前記第２イコライザ情報の選択を受け付け、且つ、前記第２ヘッドホンである場合に、前記第１記憶部が記憶する前記第２イコライザ情報を前記イコライザ部に出力する補正部と、を備え、
前記イコライザ部は、前記補正部が出力した前記第１イコライザ情報又は前記第２イコライザ情報に基づいて、前記イコライザ処理を行うことを特徴とするイコライザ装置。
【請求項３】
前記補正情報を記憶する第２記憶部をさらに備えることを特徴とする請求項１又は２に記載のイコライザ装置。
【請求項４】
前記第１ヘッドホン及び前記第２ヘッドホンの周波数特性を記憶する第３記憶部と、
前記第３記憶部が記憶する前記第１ヘッドホン及び前記第２ヘッドホンの周波数特性に基づいて、前記補正情報を生成する補正情報生成部と、をさらに備えることを特徴とする請求項１又は２に記載のイコライザ装置。
【請求項５】
前記補正情報は、所定のサンプリング周波数に対応しており、
前記補正部は、音声信号が前記所定のサンプリング周波数とは異なる場合、前記補正情報から、音声信号のサンプリング周波数に対応する新たな補正情報を生成することを特徴とする請求項１〜４のいずれか１項に記載のイコライザ装置。
【請求項６】
前記補正部は、音声信号のサンプリング周波数が、前記所定のサンプリング周波数の整数倍である場合、所定の周波数以下の帯域で前記補正情報に間引き処理を行い、間引き処理を行った前記補正情報に、前記所定の周波数よりも大きい帯域のゲインをゼロｄＢと設定する情報を加えることによって、前記新たな補正情報を生成することを特徴とする請求項５に記載のイコライザ装置。
【請求項７】
前記補正部は、音声信号のサンプリング周波数が、前記所定のサンプリング周波数の整数倍でない場合、所定の周波数以下の帯域で前記補正情報に基づいた補間情報を生成し、前記補間情報に、前記所定の周波数よりも大きい帯域のゲインをゼロｄＢと設定する情報を加えることによって、前記新たな補正情報を生成することを特徴とする請求項５に記載のイコライザ装置。
【請求項８】
コンピュータを、
第１ヘッドホンの周波数特性に基づいたイコライザ情報を記憶する第１記憶部と、
音声信号の周波数特性を変更するイコライザ処理を行うイコライザ部と、
前記第１ヘッドホンである場合に、前記第１記憶部が記憶する前記イコライザ情報を前記イコライザ部に出力し、前記第１ヘッドホンと周波数特性が異なる第２ヘッドホンである場合に、前記第１ヘッドホンと前記第２ヘッドホンとの周波数特性のゲイン差である補正情報に基づいて、前記第１記憶部が記憶する前記イコライザ情報を補正して前記イコライザ部に出力する補正部と、として機能させ、
前記イコライザ部は、前記補正部が出力した前記イコライザ情報に基づいて、前記イコライザ処理を行うことを特徴とするイコライザプログラム。
【請求項９】
コンピュータを、
第１ヘッドホンの周波数特性に基づいた第１イコライザ情報及び前記第１ヘッドホンと周波数特性が異なる第２ヘッドホンの周波数特性に基づいた第２イコライザ情報を記憶する第１記憶部と、
音声信号の周波数特性を変更するイコライザ処理を行うイコライザ部と、
前記第１イコライザ情報、前記第２イコライザ情報のいずれかの選択を受け付ける受付部と、
前記受付部が前記第１イコライザ情報の選択を受け付け、且つ、前記第１ヘッドホンである場合に、前記第１記憶部が記憶する前記第１イコライザ情報を前記イコライザ部に出力し、
前記受付部が前記第１イコライザ情報の選択を受け付け、且つ、前記第２ヘッドホンである場合に、前記第１ヘッドホンと前記第２ヘッドホンとの周波数特性のゲイン差である補正情報に基づいて、前記第１記憶部が記憶する前記第１イコライザ情報を補正して前記イコライザ部に出力し、
前記受付部が前記第２イコライザ情報の選択を受け付け、且つ、前記第１ヘッドホンである場合に、前記補正情報に基づいて、前記第１記憶部が記憶する前記第２イコライザ情報を補正して前記イコライザ部に出力し、
前記受付部が前記第２イコライザ情報の選択を受け付け、且つ、前記第２ヘッドホンである場合に、前記第１記憶部が記憶する前記第２イコライザ情報を前記イコライザ部に出力する補正部と、として機能させ、
前記イコライザ部は、前記補正部が出力した前記第１イコライザ情報又は前記第２イコライザ情報に基づいて、前記イコライザ処理を行うことを特徴とするイコライザプログラム。
【発明の詳細な説明】
【技術分野】
【０００１】
本発明は、音声信号の周波数特性を変更するイコライザ処理を行うイコライザ装置及びイコライザプログラムに関する。
【背景技術】
【０００２】
イコライザ装置は、周波数に対するゲインを示すイコライザカーブ（イコライザ情報）に基づいてイコライザ処理を行う。イコライザ装置は、例えば、ロック、ポップス、ジャズ等のジャンルに応じたイコライザカーブを記憶しており、ユーザーは、ジャンルに応じて、イコライザカーブを選択することができるようになっている。
【０００３】
イコライザカーブは、装置に接続される機器が、ヘッドホンのように機種の異なるものが接続される可能性がある場合、周波数によってゲインが変化しない（ゼロｄＢである）フラットな周波数特性に基づいて作成されることが一般的である。特許文献１には、複数のヘッドホンに応じた補正カーブ（補正情報）を記憶しておき、複数の補正カーブのうち、装置に接続されるヘッドホンに応じた補正カーブに基づいて、フラットな周波数特性に基づいて作成されたイコライザカーブを補正する発明が開示されている。この発明は、フラットな周波数特性に基づいて作成されたイコライザカーブを補正する発明であるため、補正カーブは、ヘッドホンの周波数特性そのものである。
【０００４】
また、イコライザカーブは、例えば、あるヘッドホンの周波数特性に基づいて作成される場合がある。このような場合、イコライザカーブを作成するために用いられたヘッドホンとは異なるヘッドホンが使用されると、２つのヘッドホンの周波数特性が異なるため、ユーザーに聴取される音声が、意図した音質とならないという問題がある。
【先行技術文献】
【特許文献】
【０００５】
【特許文献１】特開２０１２−０８４９４９号公報
【発明の概要】
【発明が解決しようとする課題】
【０００６】
特許文献１に記載の発明は、ヘッドホンの周波数特性である補正カーブに基づいて、フラットな周波数特性に基づいて作成されたイコライザカーブを補正する発明である。このため、イコライザカーブが、あるヘッドホンの周波数特性に基づいて作成された場合に、イコライザカーブを作成するために用いられたヘッドホンとは異なるヘッドホンが使用されると、ユーザーに聴取される音声が、意図した音質とならないという上記した問題を解決することができない。
【０００７】
本発明の目的は、イコライザ情報を作成するために用いられたヘッドホンとは異なるヘッドホンであっても、意図した音質の音声をユーザーに提供することである。
【課題を解決するための手段】
【０００８】
第１の発明のイコライザ装置は、第１ヘッドホンの周波数特性に基づいたイコライザ情報を記憶する第１記憶部と、音声信号の周波数特性を変更するイコライザ処理を行うイコライザ部と、前記第１ヘッドホンである場合に、前記第１記憶部が記憶する前記イコライザ情報を前記イコライザ部に出力し、前記第１ヘッドホンと周波数特性が異なる第２ヘッドホンである場合に、前記第１ヘッドホンと前記第２ヘッドホンとの周波数特性のゲイン差である補正情報に基づいて、前記第１記憶部が記憶する前記イコライザ情報を補正して前記イコライザ部に出力する補正部と、を備え、前記イコライザ部は、前記補正部が出力した前記イコライザ情報に基づいて、前記イコライザ処理を行うことを特徴とする。
【０００９】
本発明では、第１ヘッドホンと周波数特性が異なる第２ヘッドホンである場合に、第１ヘッドホンと第２ヘッドホンとの周波数特性のゲイン差である補正情報に基づいて、第１ヘッドホンの周波数特性に基づいて作成されたイコライザ情報が補正される。そして、補正されたイコライザ情報に基づいて、イコライザ処理が行われる。このため、イコライザ情報を作成するために用いられた第１ヘッドホンとは異なる第２ヘッドホンであっても、意図した音質の音声をユーザーに提供することが可能である。
【００１０】
第２の発明のイコライザ装置は、第１ヘッドホンの周波数特性に基づいた第１イコライザ情報及び前記第１ヘッドホンと周波数特性が異なる第２ヘッドホンの周波数特性に基づいた第２イコライザ情報を記憶する第１記憶部と、音声信号の周波数特性を変更するイコライザ処理を行うイコライザ部と、前記第１イコライザ情報、前記第２イコライザ情報のいずれかの選択を受け付ける受付部と、前記受付部が前記第１イコライザ情報の選択を受け付け、且つ、前記第１ヘッドホンである場合に、前記第１記憶部が記憶する前記第１イコライザ情報を前記イコライザ部に出力し、前記受付部が前記第１イコライザ情報の選択を受け付け、且つ、前記第２ヘッドホンである場合に、前記第１ヘッドホンと前記第２ヘッドホンとの周波数特性のゲイン差である補正情報に基づいて、前記第１記憶部が記憶する前記第１イコライザ情報を補正して前記イコライザ部に出力し、前記受付部が前記第２イコライザ情報の選択を受け付け、且つ、前記第１ヘッドホンである場合に、前記補正情報に基づいて、前記第１記憶部が記憶する前記第２イコライザ情報を補正して前記イコライザ部に出力し、前記受付部が前記第２イコライザ情報の選択を受け付け、且つ、前記第２ヘッドホンである場合に、前記第１記憶部が記憶する前記第２イコライザ情報を前記イコライザ部に出力する補正部と、を備え、前記イコライザ部は、前記補正部が出力した前記第１イコライザ情報又は前記第２イコライザ情報に基づいて、前記イコライザ処理を行うことを特徴とする。
【００１１】
本発明では、第１イコライザ情報が選択され、且つ、第１ヘッドホンと周波数特性が異なる第２ヘッドホンである場合に、第１ヘッドホンと第２ヘッドホンとの周波数特性のゲイン差である補正情報に基づいて、第１ヘッドホンの周波数特性に基づいて作成された第１イコライザ情報が補正される。そして、補正された第１イコライザ情報に基づいて、イコライザ処理が行われる。このため、第１イコライザ情報を作成するために用いられた第１ヘッドホンとは異なる第２ヘッドホンであっても、意図した音質の音声をユーザーに提供することが可能である。また、第２イコライザ情報が選択され、且つ、第１ヘッドホンである場合に、補正情報に基づいて、第２ヘッドホンの周波数特性に基づいて作成された第２イコライザ情報が補正される。そして、補正された第２イコライザ情報に基づいて、イコライザ処理が行われる。このため、第２イコライザ情報を作成するために用いられた第２ヘッドホンとは異なる第１ヘッドホンであっても、意図した音質の音声をユーザーに提供することが可能である。
【００１２】
第３の発明のイコライザ装置は、第１又は第２の発明のイコライザ装置において、前記補正情報を記憶する第２記憶部をさらに備えることを特徴とする。
【００１３】
本発明では、記憶している補正情報に基づいて、イコライザ情報を補正することができる。
【００１４】
第４の発明のイコライザ装置は、第１又は第２の発明のイコライザ装置において、前記第１ヘッドホン及び前記第２ヘッドホンの周波数特性を記憶する第３記憶部と、前記第３記憶部が記憶する前記第１ヘッドホン及び前記第２ヘッドホンの周波数特性に基づいて、前記補正情報を生成する補正情報生成部と、をさらに備えることを特徴とする。
【００１５】
本発明では、生成した補正情報に基づいて、イコライザ情報を補正することができる。
【００１６】
第５の発明のイコライザ装置は、第１〜第４の発明のいずれかのイコライザ装置において、前記補正情報は、所定のサンプリング周波数に対応しており、前記補正部は、音声信号が前記所定のサンプリング周波数とは異なる場合、前記補正情報から、音声信号のサンプリング周波数に対応する新たな補正情報を生成することを特徴とする。
【００１７】
本発明では、音声信号が所定のサンプリング周波数とは異なる場合、補正情報から、音声信号のサンプリング周波数と対応する新たな補正情報が生成される。このため、複数のサンプリング周波数に対応する補正情報を記憶しておく必要がない。
【００１８】
第６の発明のイコライザ装置は、第５の発明のイコライザ装置において、前記補正部は、音声信号のサンプリング周波数が、前記所定のサンプリング周波数の整数倍である場合、所定の周波数以下の帯域で前記補正情報に間引き処理を行い、間引き処理を行った前記補正情報に、前記所定の周波数よりも大きい帯域のゲインをゼロｄＢと設定する情報を加えることによって、前記新たな補正情報を生成することを特徴とする。
【００１９】
本発明によれば、音声信号が所定のサンプリング周波数とは異なる場合、音声信号のサンプリング周波数に対応する新たな補正情報を生成することができる。
【００２０】
第７の発明のイコライザ装置は、第５の発明のイコライザ装置において、前記補正部は、音声信号のサンプリング周波数が、前記所定のサンプリング周波数の整数倍でない場合、所定の周波数以下の帯域で前記補正情報に基づいた補間情報を生成し、前記補間情報に、前記所定の周波数よりも大きい帯域のゲインをゼロｄＢと設定する情報を加えることによって、前記新たな補正情報を生成することを特徴とする。
【００２１】
本発明によれば、音声信号が所定のサンプリング周波数とは異なる場合、音声信号のサンプリング周波数に対応する新たな補正情報を生成することができる。
【００２２】
第８の発明のイコライザプログラムは、コンピュータを、第１ヘッドホンの周波数特性に基づいたイコライザ情報を記憶する第１記憶部と、音声信号の周波数特性を変更するイコライザ処理を行うイコライザ部と、前記第１ヘッドホンである場合に、前記第１記憶部が記憶する前記イコライザ情報を前記イコライザ部に出力し、前記第１ヘッドホンと周波数特性が異なる第２ヘッドホンである場合に、前記第１ヘッドホンと前記第２ヘッドホンとの周波数特性のゲイン差である補正情報に基づいて、前記第１記憶部が記憶する前記イコライザ情報を補正して前記イコライザ部に出力する補正部と、として機能させ、前記イコライザ部は、前記補正部が出力した前記イコライザ情報に基づいて、前記イコライザ処理を行うことを特徴とする。
【００２３】
第９の発明のイコライザプログラムは、コンピュータを、第１ヘッドホンの周波数特性に基づいた第１イコライザ情報及び前記第１ヘッドホンと周波数特性が異なる第２ヘッドホンの周波数特性に基づいた第２イコライザ情報を記憶する第１記憶部と、音声信号の周波数特性を変更するイコライザ処理を行うイコライザ部と、前記第１イコライザ情報、前記第２イコライザ情報のいずれかの選択を受け付ける受付部と、前記受付部が前記第１イコライザ情報の選択を受け付け、且つ、前記第１ヘッドホンである場合に、前記第１記憶部が記憶する前記第１イコライザ情報を前記イコライザ部に出力し、前記受付部が前記第１イコライザ情報の選択を受け付け、且つ、前記第２ヘッドホンである場合に、前記第１ヘッドホンと前記第２ヘッドホンとの周波数特性のゲイン差である補正情報に基づいて、前記第１記憶部が記憶する前記第１イコライザ情報を補正して前記イコライザ部に出力し、前記受付部が前記第２イコライザ情報の選択を受け付け、且つ、前記第１ヘッドホンである場合に、前記補正情報に基づいて、前記第１記憶部が記憶する前記第２イコライザ情報を補正して前記イコライザ部に出力し、前記受付部が前記第２イコライザ情報の選択を受け付け、且つ、前記第２ヘッドホンである場合に、前記第１記憶部が記憶する前記第２イコライザ情報を前記イコライザ部に出力する補正部と、として機能させ、前記イコライザ部は、前記補正部が出力した前記第１イコライザ情報又は前記第２イコライザ情報に基づいて、前記イコライザ処理を行うことを特徴とする。
【発明の効果】
【００２４】
本発明によれば、イコライザ情報を作成するために用いられたヘッドホンとは異なるヘッドホンであっても、意図した音質の音声をユーザーに提供することが可能である。
【図面の簡単な説明】
【００２５】
【図１】本発明の第１実施形態に係るスマートフォンの構成を示すブロック図である。
【図２】ヘッドホンの情報と補正カーブの情報とを対応付けて記憶するテーブルの一例を示す図である。
【図３】補正カーブについて説明するための図である。
【図４】表示部に表示されるイコライザカーブの情報の一例を示す図である。
【図５】表示部に表示されるヘッドホンの情報の一例を示す図である。
【図６】第１実施形態において音楽再生プログラムが実行された場合のスマートフォンの処理動作を示すフローチャートである。
【図７】イコライザカーブの情報とイコライザカーブの作成に用いられたヘッドホンの情報とを対応付けて記憶するテーブルの一例を示す図である。
【図８】イコライザカーブの作成に用いられたヘッドホンの情報と、スマートフォンに接続されるヘッドホンの情報と、これらに対応する補正カーブの情報と、を対応付けて記憶するテーブルの一例である。
【図９】第２実施形態において音楽再生プログラムが実行された場合のスマートフォンの処理動作を示すフローチャートである。
【図１０】本発明の第３実施形態に係るスマートフォンの構成を示すブロック図である。
【図１１】補正カーブから、新たな補正カーブを生成することを説明するための図である。
【図１２】補正カーブから、新たな補正カーブを生成することを説明するための図である。
【図１３】補正カーブから新たな補正カーブを生成する場合のスマートフォンの処理動作を示すフローチャートである。
【発明を実施するための形態】
【００２６】
以下、本発明の第１実施形態について説明する。図１は、第１実施形態に係るスマートフォンの構成を示すブロック図である。スマートフォン１は、記憶部３に記憶されている音楽再生プログラム（イコライザプログラム）が実行されることにより、音声信号の周波数特性を変更するイコライザ処理を行うイコライザ装置として機能する。図１に示すように、スマートフォン１は、制御部２、記憶部３、表示部４、操作部５、スピーカー６、ヘッドホン端子７、入出力インターフェース（以下、「入出力Ｉ／Ｆ」という。）８、ネットワーク通信部（以下、「ＮＷ通信部」という。）９、ブルートゥース（登録商標）通信部（以下、「ＢＴ通信部」という。）１０等を備えている。スマートフォン１は、ヘッドホン端子７を介して、ヘッドホンＡ〜Ｆと接続され、音声信号をヘッドホンＡ〜Ｆに出力する。なお、「ヘッドホン」は、オーバーヘッドタイプ、ネックバンドタイプ等のヘッドホンに限らず、イヤホンともよばれるインナーイヤータイプのヘッドホン等も含む概念である。なお、音楽再生プログラムは、工場出荷時にスマートフォン１の記憶部３に記憶されていてもよいし、後述するＮＷ通信部９を介して、図示しないサーバからダウンロードされ、スマートフォン１の記憶部３に記憶されてもよい。
【００２７】
制御部２は、ＯＳ（Operating  System）プログラム、アプリケーションプログラムに従って、スマートフォン１を構成する各部を制御し、後述する再生部２３等として機能する。なお、各機能部における演算処理に特化した電子回路等により再生部２３等の各機能部が構成されていてもよいし、その他の構成であってもよい。制御部２については後述する。
【００２８】
記憶部３は、制御部２の主メモリとして機能するＲＡＭ（Random Access Memory）、制御プログラムを記憶するＲＯＭ（Read Only Memory）、ＯＳプログラムや音楽再生プログラムを含むアプリケーションプログラム等のプログラム、音楽ファイル等の各種ファイルを記憶するフラッシュメモリから構成されている。なお、記憶部３は、例示する構成に限られず、ＨＤＤ（Hard Disk Drive）等を含んでいてもよい。
【００２９】
また、記憶部３は、複数のイコライザカーブ（イコライザ情報）を記憶するイコライザカーブ記憶部３１（第１記憶部）、複数の補正カーブ（補正情報）を記憶する補正カーブ記憶部３２（第２記憶部）として機能する。イコライザカーブは、例えば、ロック、ポップス、ジャズ等のジャンルに応じたイコライザ処理を行うためのものであり、周波数に対するゲインを示すものである。本実施形態においては、例えば、ヘッドホンＡの周波数特性に基づいて、イコライザカーブが作成されている。補正カーブは、イコライザカーブを補正するためのものである。図２に示すように、補正カーブは、例えば、イコライザカーブを作成したヘッドホンＡ以外のヘッドホンＢ〜Ｆに対応し、ヘッドホンの情報（「ヘッドホン情報」フィールド）と補正カーブの情報（「補正カーブ情報」フィールド）とが対応付けて記憶されている。なお、補正カーブ記憶部３２が記憶する補正カーブの数は、５つに限られない。
【００３０】
図３に基づいて、補正カーブについて説明する。図３（ａ）は、ヘッドホンＡの周波数特性を示し、図３（ｂ）は、ヘッドホンＢの周波数特性を示し、図３（ｃ）は、ヘッドホンＢに対応する補正カーブＡＢを示している。（ａ）〜（ｃ）ともに、縦軸がゲイン（gain）、横軸が周波数（freq）を示している。補正カーブＡＢは、ヘッドホンＡとヘッドホンＢとの周波数特性のゲイン差である。ここでは、補正カーブＡＢを、ヘッドホンＡのゲインに対するヘッドホンＢのゲインの差分としている（ヘッドホンＡのゲイン−ヘッドホンＢのゲイン）。例えば、ヘッドホンＡのゲインがヘッドホンＢのゲインよりも大きい周波数については、ゲイン差は、プラスの値となる。反対に、ヘッドホンＡのゲインがヘッドホンＢのゲインよりも小さい周波数については、ゲイン差は、マイナスの値となる。なお、ここでは、ヘッドホンＢに対応する補正カーブＡＢについて説明したが、他のヘッドホンに対応する補正カーブも同様であり、ヘッドホンＡと他のヘッドホンとの周波数特性のゲイン差である。例えば、補正カーブＡＣは、ヘッドホンＡのゲインに対するヘッドホンＣのゲインの差分を示している。それぞれの補正カーブは、サンプリング周波数４４．１ｋＨｚに対応している。
【００３１】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、電話番号やメールアドレス等の各種の文字入力、通信設定などを行うことが可能である。スピーカー６は、音声信号に基づいて、通話音等の種々の音声を出力する。ヘッドホン端子７は、ヘッドホンＡ〜Ｆを接続するためのものであり、ヘッドホン端子７を介して、ヘッドホンＡ〜Ｆに対して、音声信号が出力される。入出力Ｉ／Ｆ８は、スマートフォン１が図示しない周辺機器とデータ通信等を行うためのインターフェースとして機能する。
【００３２】
ＮＷ通信部９は、図示しない携帯電話網および携帯基地局を介してインターネットに接続可能なように構成されている。スマートフォン１は、ＮＷ通信部９を介して、他の端末との通話、通信等を行うことが可能である。図示しないサーバに新たなイコライザカーブ、補正カーブがアップロードされると、制御部２は、ＮＷ通信部９を介して、イコライザカーブ、補正カーブをダウンロードし、記憶部３（イコライザカーブ記憶部３１、補正カーブ記憶部３２）に記憶する。これにより、例えば、音楽再生プログラムの記憶部３への記憶時に含まれていなかったイコライザカーブ、未発売のヘッドホンに対応する補正カーブを追加することができる。また、記憶部３に記憶しているイコライザカーブ、補正カーブがアップデートされたイコライザカーブ、補正カーブがサーバにアップロードされると、制御部２は、ＮＷ通信部９を介して、イコライザカーブ、補正カーブをダウンロードし、記憶部３（イコライザカーブ記憶部３１、補正カーブ記憶部３２）に記憶しているイコライザカーブ、補正カーブを書き換える。
【００３３】
ＢＴ通信部１０は、ブルートゥース規格に基づいて、ブルートゥース規格に対応した図示しない周辺装置と無線通信を行う。
【００３４】
次に、制御部２について説明する。制御部２は、受付部２１、補正部２２、再生部２３（イコライザ部）として機能する。受付部２１は、スマートフォン１に接続されるヘッドホンＡ〜Ｆやイコライザ処理に使用するイコライザカーブの選択を受け付ける。受付部２１は、例えば、図４に示すように、ロック、ポップス、ジャズ等のジャンルの情報を表示部４に表示する。ユーザーは、表示部４をタッチすることにより、所望のジャンルのイコライザカーブを選択することが可能である。受付部２１は、表示部４がユーザーによりタッチされることにより、タッチされた領域に表示されているイコライザカーブの選択を受け付ける。例えば、「ロック」を示す領域がタッチされると、受付部２１は、図４に示すように、「ロック」の領域の表示を反転し、ユーザーに「ロック」の選択を受け付けたことを報知する。また、受付部２１は、選択を受け付けたイコライザカーブの情報を補正部２２に出力する。
【００３５】
また、受付部２１は、例えば、図５に示すように、ヘッドホンＡ、ヘッドホンＢ、ヘッドホンＣ等のヘッドホンの情報を表示部４に表示する。ユーザーは、表示部４をタッチすることにより、使用する（スマートフォン１に接続する）ヘッドホンを選択することが可能である。受付部２１は、表示部４がユーザーによりタッチされることにより、タッチされた領域に表示されているヘッドホンの選択（「該当なし」がタッチされれば、該当ヘッドホンがないことの選択を含む。）を受け付ける。例えば、「ヘッドホンＢ」を示す領域がタッチされると、受付部２１は、図５に示すように、「ヘッドホンＢ」の領域の表示を反転し、ユーザーに「ヘッドホンＢ」の選択を受け付けたことを報知する。受付部２１は、選択を受け付けたヘッドホンの情報を補正部２２に出力する。
【００３６】
補正部２２は、後述する再生部２３によるイコライザ処理のため、再生部２３にイコライザカーブを出力する。上述したように、イコライザカーブは、ヘッドホンＡの周波数特性に基づいて作成され、イコライザカーブ記憶部３１に記憶されている。このため、ヘッドホンＡ以外のヘッドホンＢ〜Ｆがスマートフォン１に接続された場合、ヘッドホンＡとヘッドホンＢ〜Ｆとの周波数特性が異なるため、イコライザカーブ記憶部３１に記憶されているイコライザカーブを用いてイコライザ処理を行うと、ユーザーに聴取される音声が意図した音質とならない。
【００３７】
そのため、補正部２２は、スマートフォン１に接続される（受付部２１が選択を受け付けた）ヘッドホンがヘッドホンＡ以外のヘッドホンＢ〜Ｆである場合に、ヘッドホンＡとヘッドホンＢ〜Ｆとの周波数特性のゲイン差である補正カーブＡＢ〜ＡＦに基づいて、イコライザカーブ記憶部３１が記憶するイコライザカーブを補正する。具体的には、補正部２２は、イコライザカーブと補正カーブとを合成する。言い換えれば、補正部２２は、イコライザカーブと補正カーブとを足し合わせる。例えば、イコライザカーブと補正カーブＡＢとを合成する場合、ヘッドホンＡのゲインがヘッドホンＢのゲインよりも大きい周波数については、ゲイン差がプラスの値であるため、イコライザカーブのゲインが増加する。反対に、ヘッドホンＡのゲインがヘッドホンＢのゲインよりも小さい周波数については、ゲイン差がマイナスの値であるため、イコライザカーブのゲインが減少する。
【００３８】
また、補正部２２は、スマートフォン１に接続される（受付部２１が選択を受け付けた）ヘッドホンがヘッドホンＡである場合に、イコライザカーブを補正する必要がないため、イコライザカーブ記憶部３１が記憶するイコライザカーブを再生部２３に出力する。本実施形態では、補正部２２は、スマートフォン１に接続されるヘッドホンがヘッドホンＡである場合、ゲインがゼロｄＢであるフラットな補正カーブを生成する。また、補正部２２は、スマートフォン１に接続されるヘッドホンがヘッドホンＢ〜Ｆ以外である場合も、ゲインがゼロｄＢであるフラットな補正カーブを生成する。そして、補正部２２は、イコライザカーブとフラットな補正カーブとを合成する。この場合、補正カーブはフラットであるため、イコライザカーブは変化しない。なお、ここでは、補正部２２は、フラットな補正カーブを生成し、イコライザカーブとフラットな補正カーブとを合成する場合について説明したが、イコライザカーブ記憶部３１が記憶するイコライザカーブをそのまま再生部２３に出力するようにしてもよい。また、補正カーブ記憶部３１に、ヘッドホンＡに対応する補正カーブとして、フラットな補正カーブを記憶しておき、イコライザカーブと補正カーブとを合成するようにしてもよい。スマートフォン１に接続されるヘッドホンがヘッドホンＢ〜Ｆ以外である場合も同様である。
【００３９】
再生部２３は、ユーザーによって選択された音楽ファイルを記憶部３から読み出し、読み出した音楽ファイルについて、復号処理、イコライザ処理、Ｄ／Ａ変換処理、音量調整処理等の再生処理を行い、ヘッドホン端子７に音声信号を出力する。イコライザ処理においては、再生部２３は、補正部２２が出力するイコライザカーブに基づいてイコライザ処理を行う。
【００４０】
次に、本実施形態において、記憶部３に記憶されている音楽再生プログラムが実行された場合のスマートフォン１の処理動作を、図６に示すフローチャートに基づいて説明する。まず、受付部２１は、表示部４にイコライザカーブの情報を表示する（Ｓ１、図４参照）。次に、受付部２１は、イコライザカーブの選択を受け付けたか否かを判断する（Ｓ２）。受付部２１は、イコライザカーブの選択を受け付けていないと判断している間（Ｓ２：Ｎｏ）、イコライザカーブの情報を表示部４に表示する（Ｓ１）。
【００４１】
受付部２１は、イコライザカーブの選択を受け付けたと判断すると（Ｓ２：Ｙｅｓ）、表示部４にヘッドホンの情報を表示する（Ｓ３、図５参照）。次に、受付部２１は、ヘッドホンの選択を受け付けたか否かを判断する（Ｓ４）。受付部２１は、ヘッドホンの選択を受け付けていないと判断している間（Ｓ４：Ｎｏ）、ヘッドホンの情報を表示部４に表示する（Ｓ３）。
【００４２】
受付部２１が、ヘッドホンの選択を受け付けたと判断すると（Ｓ４：Ｙｅｓ）、補正部２２は、受付部２１が出力する情報に基づいて、受付部２１が選択を受け付けたヘッドホンが該当なしであるか否かを判断する（Ｓ５）。補正部２２は、受付部２１が選択を受け付けたヘッドホンが該当なしでないと判断した場合（Ｓ５：Ｎｏ）、受付部２１が出力する情報に基づいて、受付部２１が選択を受け付けたヘッドホンがヘッドホンＡであるか否かを判断する（Ｓ６）。補正部２２は、受付部２１が選択を受け付けたヘッドホンが該当なしであると判断した場合（Ｓ５：Ｙｅｓ）、又は、受付部２１が選択を受け付けたヘッドホンがヘッドホンＡであると判断した場合（Ｓ６：Ｙｅｓ）、フラットな補正カーブを生成する（Ｓ７）。補正部２２は、受付部２１が選択を受け付けたヘッドホンがヘッドホンＡでない、すなわち、ヘッドホンＢ〜Ｆであると判断した場合（Ｓ６：Ｎｏ）、受付部２２が選択を受け付けたいずれかのヘッドホンＢ〜Ｆに対応する、補正カーブ記憶部３２が記憶している補正カーブＡＢ〜ＡＦを選択する（Ｓ８）。補正部２２は、Ｓ７で生成した補正カーブ、又は、Ｓ８で選択した補正カーブに基づいて、Ｓ２で受付部２１が選択を受け付けたイコライザカーブを補正する（Ｓ９）。次に、再生部２３は、ユーザーによって選択された音楽ファイルに再生処理を行う（Ｓ１０）。このとき、再生部２３は、Ｓ９で補正部２２が補正したイコライザカーブに基づいて、イコライザ処理を行う。
【００４３】
以上説明したように、本実施形態では、ヘッドホンＡと周波数特性が異なるヘッドホンＢ〜Ｆである場合に、補正部２２により、ヘッドホンＡとヘッドホンＢ〜Ｆとの周波数特性のゲイン差である補正カーブＡＢ〜ＡＦに基づいて、ヘッドホンＡの周波数特性に基づいて作成されたイコライザカーブが補正される。そして、再生部２３により、補正されたイコライザカーブに基づいて、イコライザ処理が行われる。このため、イコライザカーブを作成するために用いられたヘッドホンＡとは異なるヘッドホンＢ〜Ｆであっても、意図した音質の音声をユーザーに提供することが可能である。
【００４４】
次に、本発明の第２実施形態について説明する。本実施形態では、ジャンルに応じたイコライザカーブが、異なるヘッドホンの周波数特性に基づいて作成されている。例えば、図７に示すように、ジャンル「ロック」のイコライザカーブは、ヘッドホンＡの周波数特性に基づいて作成され、ジャンル「ポップス」のイコライザカーブは、ヘッドホンＢの周波数特性に基づいて作成され、ジャンル「ジャズ」のイコライザカーブは、ヘッドホンＣの周波数特性に基づいて作成されている。記憶部３には、図７に示すように、イコライザカーブの情報（「イコライザ情報」フィールド）と、イコライザカーブの作成に用いられたヘッドホンの情報（「ヘッドホン情報」フィールド）と、が対応付けて記憶されている。
【００４５】
また、イコライザカーブの作成に用いられたヘッドホンが複数であるため、イコライザカーブの作成に用いられたヘッドホンと、スマートフォン１に接続されるヘッドホンと、の組み合わせの数の補正カーブが補正カーブ記憶部３２に記憶されている。例えば、イコライザカーブの作成に用いられたヘッドホンがヘッドホンＡ、Ｂ、Ｃの３つであり、スマートフォン１に接続されるヘッドホンが同じくヘッドホンＡ、Ｂ、Ｃの３つである場合、図８に示すように、６つの組み合わせの補正カーブＡＢ、ＡＣ、ＢＡ、ＢＣ、ＣＡ、ＣＢが補正カーブ記憶部３２に記憶されている。記憶部３には、図８に示すように、イコライザカーブの作成に用いられたヘッドホンの情報（「ヘッドホン情報１」フィールド）と、スマートフォン１に接続されるヘッドホンの情報（「ヘッドホン情報２」フィールド）と、これらのヘッドホンに対応する補正カーブの情報（「補正カーブ情報」フィールド）と、が対応付けて記憶されている。
【００４６】
補正部２２は、再生部２３がイコライザ処理に使用するイコライザカーブの作成に用いられたヘッドホンと、スマートフォン１に接続されるヘッドホンと、が一致しない場合、補正カーブに基づいて、イコライザカーブを補正する。例えば、イコライザ処理に使用するイコライザカーブが「ポップス」である場合、イコライザカーブの作成には、ヘッドホンＢが用いられている（図７参照）。ここで、スマートフォン１に接続されるヘッドホンがヘッドホンＣである場合、ヘッドホンが一致しない。このような場合、補正部２２は、図８に示すテーブルに基づいて、「ヘッドホン情報１」フィールドがヘッドホンＢであり、「ヘッドホン情報２」フィールドがヘッドホンＣである、補正カーブＢＣに基づいて、「ポップス」のイコライザカーブを補正する。
【００４７】
次に、本実施形態において、記憶部３に記憶されている音楽再生プログラムが実行された場合のスマートフォン１の処理動作を、図９に示すフローチャートに基づいて説明する。Ｓ１〜Ｓ５までの処理は、図６に示す第１実施形態の処理動作と同じであるため、説明を省略する。補正部２２は、受付部２１が選択を受け付けたヘッドホンが該当なしでないと判断した場合（Ｓ５：Ｎｏ）、Ｓ２で受付部２１が選択を受け付けたイコライザカーブの作成に用いられたヘッドホンと、Ｓ４で受付部２１が選択を受け付けたヘッドホンと、が一致するか否かを、図７に示すテーブルに基づいて判断する（Ｓ１０６）。補正部２２は、受付部２１が選択を受け付けたヘッドホンが該当なしであると判断した場合（Ｓ５：Ｙｅｓ）、又は、Ｓ２で受付部２１が選択を受け付けたイコライザカーブの作成に用いられたヘッドホンと、Ｓ４で受付部２１が選択を受け付けたヘッドホンと、が一致すると判断した場合（Ｓ１０６：Ｙｅｓ）、イコライザカーブを補正する必要がないため、フラットな補正カーブを生成する（Ｓ７）。補正部２２は、Ｓ２で受付部２１が選択を受け付けたイコライザカーブの作成に用いられたヘッドホンと、Ｓ４で受付部２１が選択を受け付けたヘッドホンと、が一致しないと判断した場合（Ｓ１０６：Ｎｏ）、図８に示すテーブルに基づいて、対応する補正カーブを選択する（Ｓ１０８）。補正部２２は、Ｓ７で生成した補正カーブ、又は、Ｓ１０８で選択した補正カーブに基づいて、受付部２１がＳ２で選択を受け付けたイコライザカーブを補正する（Ｓ９）。次に、再生部２３は、ユーザーによって選択された音楽ファイルに再生処理を行う（Ｓ１０）。このとき、再生部２３は、Ｓ９で補正部２２が補正したイコライザカーブに基づいて、イコライザ処理を行う。
【００４８】
以上説明したように、本実施形態では、例えば、「ロック」のイコライザカーブが選択され、且つ、「ロック」のイコライザカーブの作成に用いられたヘッドホンＡと周波数特性が異なるヘッドホンＢである場合に、補正部２２により、ヘッドホンＡとヘッドホンＢとの周波数特性のゲイン差である補正カーブＡＢに基づいて、ヘッドホンＡの周波数特性に基づいて作成された「ロック」のイコライザカーブが補正される。そして、再生部２３により、補正された「ロック」のイコライザカーブに基づいて、イコライザ処理が行われる。このため、「ロック」のイコライザカーブを作成するために用いられたヘッドホンＡとは異なるヘッドホンＢであっても、意図した音質の音声をユーザーに提供することが可能である。
【００４９】
また、例えば、「ポップス」のイコライザカーブが選択され、且つ、「ポップス」のイコライザカーブＢの作成に用いられたヘッドホンＢと周波数特性が異なるヘッドホンＣである場合に、補正部２２により、ヘッドホンＢとヘッドホンＣとの周波数特性のゲイン差である補正カーブＢＣに基づいて、ヘッドホンＢの周波数特性に基づいて作成された「ポップス」のイコライザカーブが補正される。そして、再生部２３により、補正された「ポップス」のイコライザカーブに基づいて、イコライザ処理が行われる。このため、「ポップス」のイコライザカーブを作成するために用いられたヘッドホンＢとは異なるヘッドホンＣであっても、意図した音質の音声をユーザーに提供することが可能である。
【００５０】
次に、本発明の第３実施形態について説明する。以下では、第１実施形態と異なる構成について説明する。図１０は、第２実施形態に係るスマートフォン１の構成を示すブロック図である。第２実施形態においては、制御部２は、受付部２１、補正部２２、再生部２３に加え、補正カーブを生成する補正カーブ生成部２４（補正情報生成部）としても機能する。記憶部３は、補正カーブに替えて、ヘッドホンＡ〜Ｆに対応する周波数特性を記憶しており、イコライザカーブ記憶部３１、周波数特性記憶部３３（第３記憶部）として機能する。
【００５１】
補正カーブ生成部２４は、周波数特性記憶部３３が記憶するヘッドホンＢ〜Ｆの周波数特性に基づいて、補正カーブを生成する。例えば、補正カーブＢを生成する場合、ヘッドホンＡのゲインからヘッドホンＢのゲインを引いて（ヘッドホンＡのゲイン−ヘッドホンＢのゲイン）、補正カーブＡＢを生成する。本実施形態では、補正カーブ生成部２４が生成した補正カーブに基づいて、イコライザカーブを補正することができる。
【００５２】
次に、本発明の第４実施形態について説明する。第４実施形態においては、補正部２２は、音声信号（音楽ファイル）が、補正カーブが対応している４４．１ｋＨｚのサンプリング周波数とは異なる場合、補正カーブから、音声信号のサンプリング周波数と対応する新たな補正カーブを生成する。
【００５３】
まず、音声信号のサンプリング周波数が、補正カーブが対応するサンプリング周波数の整数倍である場合について、図１１に基づいて説明する。ここでは、音声信号のサンプリング周波数が、補正カーブが対応するサンプリング周波数４４．１ｋＨｚの２倍である８８．２ｋＨｚである場合について説明する。図１１（ａ）は、サンプリング周波数４４．１ｋＨｚに対応した補正カーブを示し、図１１（ｂ）は、サンプリング周波数８８．２ｋＨｚに対応した新たな補正カーブを示している。補正部２２は、所定の周波数である２２．０５ｋＨｚ以下の帯域で、補正カーブのデータの間引き処理を行う。音声信号のサンプリング周波数が整数倍の場合、補正カーブのデータの周波数間隔に対して、サンプリング周波数が整数倍である音声信号に対応する新たな補正カーブのデータの周波数間隔も整数倍となるため、補正カーブを間引きして使用できる。ここでは、音声信号のサンプリング周波数が、補正カーブが対応するサンプリング周波数の２倍であるから、２２．０５ｋＨｚ以下の帯域で、８１９２のデータを半分の４０９６のデータとする間引き処理を行う。次に、補正部２２は、間引き処理を行った補正カーブに、２２．０５ｋＨｚよりも大きい帯域のゲインをゼロｄＢと設定するデータを加える。このとき、間引き処理を行った補正カーブのデータの周波数間隔と同じ間隔で、４０９６のデータを加える。このようにして、補正部２２は、補正カーブから新たな補正カーブを生成する。
【００５４】
次に、音声信号のサンプリング周波数が、補正カーブが対応するサンプリング周波数の整数倍でない場合について、図１２に基づいて説明する。ここでは、音声信号のサンプリング周波数が、補正カーブが対応するサンプリング周波数４４．１ｋＨｚの整数倍でない９６ｋＨｚである場合について説明する。図１２（ａ）は、サンプリング周波数４４．１ｋＨｚに対応した補正カーブを示し、図１２（ｂ）は、サンプリング周波数９６ｋＨｚに対応した新たな補正カーブを示している。補正部２２は、所定の周波数である２２．０５ｋＨｚ以下の帯域で、補正カーブに基づいた補間データを生成する。音声信号のサンプリング周波数が整数倍でない場合、補正カーブのデータの周波数間隔に対して、サンプリング周波数が整数倍でない音声信号に対応する新たな補正カーブのデータの周波数間隔も整数倍とならないため、補正カーブを使用することができないからである。補間データの生成は、補正カーブ上に位置する所定のデータを抽出することによって行う。次に、補正部２２は、補間データに、２２．０５ｋＨｚよりも大きい帯域のゲインをゼロｄＢと設定するデータを加える。このとき、補間データのデータの周波数間隔と同じ間隔で、２４ｋＨｚ以下の帯域で４０９６、２４ｋＨｚよりも大きい帯域で４０９６のデータ数となるように、データを加える。このようにして、補正部２２は、補正カーブから新たな補正カーブを生成する。
【００５５】
次に、補正カーブから新たな補正カーブを生成する場合のスマートフォン１の処理動作について、図１３に示すフローチャートに基づいて説明する。この処理は、例えば、図６に示すフローチャートのＳ８、図９に示すフローチャートのＳ１０８の処理の後、Ｓ９の処理の前に行われる。まず、補正部２２は、音声信号のサンプリング周波数を取得する（Ｓ１１）。次に、補正部２２は、音声信号のサンプリング周波数が４４．１ｋＨｚであるか否かを判断する（Ｓ１２）。補正部２２は、音声信号のサンプリング周波数が４４．１ｋＨｚであると判断した場合（Ｓ１２：Ｙｅｓ）、補正カーブから新たな補正カーブを生成する必要がないため、処理を終了する。
【００５６】
補正部２２は、音声信号のサンプリング周波数が４４．１ｋＨｚでないと判断した場合（Ｓ１２：Ｎｏ）、音声信号のサンプリング周波数が、４４．１ｋＨｚの整数倍であるか否かを判断する（Ｓ１３）。補正部２２は、音声信号のサンプリング周波数が、４４．１ｋＨｚの整数倍であると判断した場合（Ｓ１３：Ｙｅｓ）、２２．０５ｋＨｚ以下の帯域で、補正カーブのデータの間引き処理を行う（Ｓ１４）。一方、補正部２２は、音声信号のサンプリング周波数が、４４．１ｋＨｚの整数倍でないと判断した場合（Ｓ１３：Ｎｏ）、２２．０５ｋＨｚ以下の帯域で、補正カーブに基づいた補間データを生成する（Ｓ１５）。補正部２２は、Ｓ１４で間引き処理を行った補正カーブ、又は、Ｓ１５で生成した補間データに、２２．０５ｋＨｚよりも大きい帯域でゲインをゼロｄＢと設定するデータを加え、新たな補正カーブを生成する（Ｓ１６）。
【００５７】
以上説明したように、本実施形態では、音声信号が所定のサンプリング周波数（４４．１ｋＨｚ）とは異なる場合、補正部２２により、補正カーブから、音声信号のサンプリング周波数と対応する新たな補正カーブが生成される。このため、複数のサンプリング周波数に対応する補正カーブを記憶しておく必要がない。
【００５８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５９】
上述の実施形態においては、受付部２１は、イコライザカーブの選択を受け付けるようになっているが、これに加え、イコライザカーブの編集を受け付けるようになっていてもよい。この場合、受付部２１は、補正部２２によって補正されたイコライザカーブの編集を受け付け、編集されたイコライザカーブをイコライザカーブ記憶部３１に記憶するようにしてもよい。
【００６０】
上述の実施形態においては、補正部２２による補正カーブに基づくイコライザカーブの補正量を制限していないが、補正量が大きいと、音声信号がクリップする（歪む）場合がある。このため、補正量の上限を設け、補正量が上限を超えた場合は正規化（ブースト・カット）するようにしてもよい。また、スペクトラム表示において、イコライザ処理においてブースト・カットされた量が視覚的にわかるように、ブースト・カットされた部分の色を、他の部分の色と分けるようにしてもよい。
【００６１】
また、補正カーブにおいて、高域にディップが複数ある場合は、測定誤差で帯域が前後する可能性があるため、補正カーブの平滑化を行ってもよい。
【００６２】
上述の実施形態においては、スマートフォン１とヘッドホンＡ〜Ｆとがヘッドホン端子７を介して有線接続される。これに限らず、例えば、ブルートゥース規格に対応した無線ヘッドホンである場合、ＢＴ通信部１０を介して、スマートフォン１とヘッドホンとが無線接続されてもよい。この場合、スマートフォン１とヘッドホンとのペアリング時に、スマートフォン１において、接続されるヘッドホンの情報が取得されるため、この情報に基づいて、補正部２２は、補正カーブを選択し、イコライザカーブを補正することも可能である。
【００６３】
上述の実施形態においては、音楽再生プログラムに、スマートフォン１をイコライザ装置として機能させるイコライザプログラムが組み込まれている場合について説明した。これに限らず、音楽ファイルを再生する音楽再生プログラムとイコライザプログラムとが別のプログラムであってもよい。
【００６４】
上述の実施形態においては、スマートフォンに音楽再生プログラムがインストールされており、スマートフォンをイコライザ装置として機能させる場合について説明した。これに限らず、イコライザ装置として機能させる機器として、タブレットＰＣ、フィーチャーフォン、携帯メディアプレーヤー、携帯ゲーム機等であってもよい。
【産業上の利用可能性】
【００６５】
本発明は、音楽を再生する音楽再生装置及び音楽再生プログラムに好適に採用され得る。
【符号の説明】
【００６６】
１  スマートフォン（イコライザ装置）
２  制御部
３  記憶部
４  表示部
７  ヘッドホン端子
１０  ブルートゥース通信部
２１  受付部
２２  補正部
２３  再生部（イコライザ部）
２４  補正カーブ生成部（補正情報生成部）
３１  イコライザカーブ記憶部（第１記憶部）
３２  補正カーブ記憶部（第２記憶部）
３３  周波数特性記憶部（第３記憶部）
Ａ〜Ｆ  ヘッドホン
【要約】
【課題】イコライザ情報を作成するために用いられたヘッドホンとは異なるヘッドホンであっても、意図した音質の音声をユーザーに提供すること。
【解決手段】補正部２２は、ヘッドホンＡと周波数特性が異なるヘッドホンＢである場合に、ヘッドホンＡとヘッドホンＢとの周波数特性のゲイン差である補正カーブＡＢに基づいて、イコライザカーブ記憶部３１が記憶するイコライザカーブを補正して再生部２３に出力する。再生部２３は、補正部２２が出力したイコライザカーブに基づいて、イコライザ処理を行う。
【選択図】図６【図１】
0005598589.tif 000002
【図２】
0005598589.tif 000003
【図６】
0005598589.tif 000004
【図７】
0005598589.tif 000005
【図８】
0005598589.tif 000006
【図９】
0005598589.tif 000007
【図１０】
0005598589.tif 000008
【図１３】
0005598589.tif 000009
【図３】
0005598589.tif 000010
【図４】
0005598589.tif 000011
【図５】
0005598589.tif 000012
【図１１】
0005598589.tif 000013
【図１２】
0005598589.tif 000014